(57)【特許請求の範囲】
【請求項１】
ベビーカーの、子供用座席シートを左右及び前から囲んで子供の移動を制限するガードアーム装置であって、
子供用座席シートに対して固定的に設置される固定部と、前記固定部に対して可動的に設置されている可動部と、を有し、
前記可動部は、一端部が前記固定部に上下回動可能に枢接され、他端部が前記上下回動によって前記固定部に対して当接したり離間したりすることができるように構成されており、
更に、前記固定部と前記可動部とにおける一方に配置されている係止手段と、前記固定部と前記可動部とにおける他方に形成されている係止孔と、を備えており、
前記係止手段は、
ハウジングと、
その軸方向に沿って摺動可能に、且つ、該摺動によってその先端部が前記ハウジングの外側へ突き出すことができるように前記ハウジング内に収容されており、また、前記可動部の他端部が前記固定部に当接している場合、前記摺動により突き出されることによって前記係止孔に挿し込むことができるように配置構成されている係止棒と、
前記係止棒を前記軸方向に沿って前記ハウジングの外側へ押し出させる付勢力を常に前記係止棒に与えることができるように前記ハウジング内に設置構成されている付勢手段と、
その操作端が前記ハウジング外に露出しており、且つ、該操作端が前記ハウジング内へ没入するように押圧されると、前記付勢手段の付勢力に対抗して前記係止棒の先端を前記ハウジング内に引き込ませることができ、前記押圧が解除されると、前記操作端が再び突出すると共に、前記付勢手段の付勢力で前記係止棒を再び押し出すことができるように構成されている操作ボタンと、を有していることを特徴とするベビーカーのガードアーム装置。
【請求項２】
ベビーカーの子供用座席シートの両側に設置されて子供の左右への移動を制限する左右両アームと、
子供用座席シートの手前を横断して子供の前への移動を制限するものであって、その一端部が左右両アームの一つに上下回動可能に枢接され、他端部が前記上下回動によって他の一つに当接したり離間したりすることができるように構成されているフロントアームと、
前記フロントアームの他端部に配置されている係止手段と、
前記左右両アームのうち、前記フロントアームの他端部に当接できるアームに形成されている係止孔と、を備えており、
前記係止手段は、
ハウジングと、
その軸方向に沿って摺動可能に、且つ、該摺動によってその先端部が前記ハウジングの外側へ突き出すことができるように前記ハウジング内に収容されており、また、前記フロントアームの他端部が前記係止孔が配置されているアームに当接している場合、前記摺動により突き出されることによって前記係止孔に挿し込むことができるように配置構成されている係止棒と、
前記係止棒を前記軸方向に沿って前記ハウジングの外側へ押し出させる付勢力を常に前記係止棒に与えることができるように前記ハウジング内に設置構成されている付勢手段と、
その操作端が前記ハウジング外に露出しており、且つ、該操作端が前記ハウジング内へ没入するように押圧されると、前記付勢手段の付勢力に対抗して前記係止棒の先端を前記ハウジング内に引き込ませることができ、前記押圧が解除されると、前記操作端が再び突出すると共に、前記付勢手段の付勢力で前記係止棒を再び押し出すことができるように構成されている操作ボタンと、を有していることを特徴とするベビーカーのガードアーム装置。
【請求項３】
前記操作ボタンは、主動斜面を有し、前記係止棒は、前記主動斜面の前記操作ボタンの没入操作により作動されて前記係止棒の先端を前記ハウジング内に引き込ませることができる従動斜面を有することを特徴とする請求項１または請求項２に記載のベビーカーのガードアーム装置。
【請求項４】
前記操作ボタンの、前記ハウジング内への没入方向は、前記係止棒の軸方向と直交していることを特徴とする請求項１または請求項２のベビーカーのガードアーム装置。
【請求項５】
前記可動部における前記他端部と前記固定部の該他端部に当接できる部分とは、互いに対応し、且つ、それらが当接している時、互いに係止しあって、前記可動部における前記他端部が前記上下回動のみによって前記固定部から離れることができるように配置構成されていることを特徴とする請求項１のベビーカーのガードアーム装置。
【請求項６】
前記係止孔が形成されているアームの先端部に、第１の係止溝と該第１の係止溝より先端側に配置されている第１の係止フランジとが形成されており、
前記フロントアームにおける他端部の先端近くに、前記第１の係止溝に対応して嵌め込むことができる第２の係止フランジと、前記第１の係止フランジに対応して嵌め込ませることができる第２の係止溝と、が形成されており、
この構成によって前記係止孔が形成されているアームの先端部と前記フロントアームにおける他端部の先端近くとは、互いに対応して係止することができ、前記フロントアームにおける他端部の先端近くは、上方から回動して前記係止孔が形成されているアームに当接することができ、且つ、上方への回動のみによって前記係止孔が形成されているアームから離れることができるように配置構成されていることを特徴とする請求項２のベビーカーのガードアーム装置。
【請求項７】
請求項１〜６のいずれか一つに記載のガードアーム装置を備えたことを特徴とするベビーカー。
【発明の詳細な説明】
【技術分野】
【０００１】
本発明は、ベビーカーのガードアーム装置及びそれを備えたベビーカーに関する。
【背景技術】
【０００２】
ベビーカーに子供用座席シートを左右及び前から囲んで子供の移動を制限するガードアームを設置することで子供の安全をより確実に守ることができるが、子供をベビーカーに乗せたり降ろしたりする時などはかえって不便になることも多い。従って、ガードアームの一部を一時的に取り外せる構成を加えることも重要である。
【０００３】
図１は、特許文献１において開示され、ガードアームの一部を一時的に取り外せる構成を有する従来のベビーカーのガードアーム装置の一部構成が示されている断面図である。
【０００４】
該ガードアーム装置は、ベビーカー本体に固定されている固定部１０１と固定部１０１に対して可動的に取り付けられている可動部１０２とを有し、図中では可動部１０２が固定部１０１に係止されている係止手段１１及び該係止手段１１を操作するスイッチ手段１２の構成の断面図が示されている。
【０００５】
図示されているように、固定部１０１に固定されている係止ブロック１１１は、可動部１０２内に嵌め込まれており、可動部１０２の先端１０２１は、図中の矢印で示されている方向に回動して固定部１０１から離れることができるが、その逆方向への回動は、係止ブロック１１１によって制限されている。係止手段１１は、圧縮コイルばね１４の付勢力により押されて係止ブロック１１１の先端に形成されている係止孔に挿し込まれることによって、可動部１０２の前記矢印に沿った方向の回動を制限することができる。
【０００６】
スイッチ手段１２は、係止手段１１に連結していると共に、可動部１０２に対して図中の左右方向に沿って摺動可能に取り付けられている。
【０００７】
図中に示されているこの係止状態を解除するには、圧縮コイルばね１４の付勢力に対抗してスイッチ手段１２及び係止手段１１を左側へ引いた後、可動部１０２の先端１０２１を図中の矢印方向に回動させることで、固定部１０１から分離させることができる。
【先行技術文献】
【特許文献】
【０００８】
【特許文献１】中国特許第２７５９８８６号明細書
【発明の概要】
【発明が解決しようとする課題】
【０００９】
上記されているように、該ガードアーム装置の可動部１０２を固定部１０１から取り外すには、スイッチ手段１２を引く操作が必要であるが、本発明は、押す操作で可動部を固定部から取り外すことができ、更に操作が簡単なベビーカーのガードアーム装置及びそれを備えたベビーカーの提供を目的とする。
【課題を解決するための手段】
【００１０】
上記目的を達成するために、本発明は、ベビーカーの、子供用座席シートを左右及び前から囲んで子供の移動を制限するガードアーム装置であって、子供用座席シートに対して固定的に設置される固定部と、前記固定部に対して可動的に設置されている可動部と、を有し、前記可動部は、一端部が前記固定部に上下回動可能に枢接され、他端部が前記上下回動によって前記固定部に対して当接したり離間したりすることができるように構成されており、更に、前記固定部と前記可動部とにおける一方に配置されている係止手段と、前記固定部と前記可動部とにおける他方に形成されている係止孔と、を備えており、前記係止手段は、ハウジングと、その軸方向に沿って摺動可能に、且つ、該摺動によってその先端部が前記ハウジングの外側へ突き出すことができるように前記ハウジング内に収容されており、また、前記可動部の他端部が前記固定部に当接している場合、前記摺動により突き出されることによって前記係止孔に挿し込むことができるように配置構成されている係止棒と、前記係止棒を前記軸方向に沿って前記ハウジングの外側へ押し出させる付勢力を常に前記係止棒に与えることができるように前記ハウジング内に設置構成されている付勢手段と、その操作端が前記ハウジング外に露出しており、且つ、該操作端が前記ハウジング内へ没入するように押圧されると、前記付勢手段の付勢力に対抗して前記係止棒の先端を前記ハウジング内に引き込ませることができ、前記押圧が解除されると、前記操作端が再び突出すると共に、前記付勢手段の付勢力で前記係止棒を再び押し出すことができるように構成されている操作ボタンと、を有していることを特徴とするベビーカーのガードアーム装置を提供する。
【００１１】
上記本発明のベビーカーのガードアーム装置の一例として、本発明は、ベビーカーの子供用座席シートの両側に設置されて子供の左右への移動を制限する左右両アームと、子供用座席シートの手前を横断して子供の前への移動を制限するものであって、その一端部が左右両アームの一つに上下回動可能に枢接され、他端部が前記上下回動によって他の一つに当接したり離間したりすることができるように構成されているフロントアームと、前記フロントアームの他端部に配置されている係止手段と、前記左右両アームのうち、前記フロントアームの他端部に当接できるアームに形成されている係止孔と、を備えており、前記係止手段は、ハウジングと、その軸方向に沿って摺動可能に、且つ、該摺動によってその先端部が前記ハウジングの外側へ突き出すことができるように前記ハウジング内に収容されており、また、前記フロントアームの他端部が前記係止孔が配置されているアームに当接している場合、前記摺動により突き出されることによって前記係止孔に挿し込むことができるように配置構成されている係止棒と、前記係止棒を前記軸方向に沿って前記ハウジングの外側へ押し出させる付勢力を常に前記係止棒に与えることができるように前記ハウジング内に設置構成されている付勢手段と、その操作端が前記ハウジング外に露出しており、且つ、該操作端が前記ハウジング内へ没入するように押圧されると、前記付勢手段の付勢力に対抗して前記係止棒の先端を前記ハウジング内に引き込ませることができ、前記押圧が解除されると、前記操作端が再び突出すると共に、前記付勢手段の付勢力で前記係止棒を再び押し出すことができるように構成されている操作ボタンと、を有していることを特徴とするベビーカーのガードアーム装置をも提供する。
【００１２】
上記本発明のベビーカーのガードアーム装置において、前記操作ボタンは、主動斜面を有し、前記係止棒は、前記主動斜面の前記操作ボタンの没入操作により作動されて前記係止棒の先端を前記ハウジング内に引き込ませることができる従動斜面を有していることが好ましい。
【００１３】
上記本発明のベビーカーのガードアーム装置において、前記操作ボタンの、前記ハウジング内への没入方向は、前記係止棒の軸方向と直交していることが好ましい。
【００１４】
上記本発明のベビーカーのガードアーム装置において、前記可動部における前記他端部と前記固定部の該他端部に当接できる部分とは、互いに対応し、且つ、それらが当接している時、互いに係止しあって、前記可動部における前記他端部が前記上下回動のみによって前記固定部から離れることができるように配置構成されていることが好ましい。
【００１５】
前記可動部における前記他端部と前記固定部の該他端部に当接できる部分との係止関係は、前記係止孔が形成されているアームの先端部に、第１の係止溝と該第１の係止溝より先端側に配置されている第１の係止フランジとが形成されており、前記フロントアームにおける他端部の先端近くに、前記第１の係止溝に対応して嵌め込むことができる第２の係止フランジと、前記第１の係止フランジに対応して嵌め込ませることができる第２の係止溝と、が形成されており、この構成によって前記係止孔が形成されているアームの先端部と前記フロントアームにおける他端部の先端近くとは、互いに対応して係止することができ、前記フロントアームにおける他端部の先端近くは、上方から回動して前記係止孔が形成されているアームに当接することができ、且つ、上方への回動のみによって前記係止孔が形成されているアームから離れることができる。
【００１６】
更に、本発明は、上記ガードアーム装置を備えたことを特徴とするベビーカーをも提供する。
【発明の効果】
【００１７】
上記構成による本発明のガードアーム装置及びそれを備えたベビーカーは、操作端を押すだけで可動部（フロントアーム）と固定部（左右両アーム）との係止を解除することができるので、従来より操作が簡単なガードアーム装置及びそれを備えたベビーカーを提供することができる。
【図面の簡単な説明】
【００１８】
【図１】従来のベビーカーのガードアーム装置の一部構成が示されている断面図である。
【図２】本発明のベビーカーのガードアーム装置の外部構成を示す斜視図である。
【図３】係止手段の構成を示す斜視図である。
【図４】図３に示されている状態の拡大図である。
【図５】係止手段及び係止孔の構成を示す分解図である。
【図６】図３に示されている状態の上面図である。
【図７】係止手段の構成を示す上面図である。
【図８】枢接端部及び右サイドアームの内部構成が示されている斜視図である。
【発明を実施するための形態】
【００１９】
以下は、図面を参照して本発明のベビーカーのガードアーム装置について詳しく説明する。
【００２０】
図２は、本発明のベビーカーのガードアーム装置の外部構成を示す斜視図である。図示されているように、本発明は、ベビーカーの子供用座席シートを左右及び前から囲んで子供の移動を制限するガードアーム装置であって、子供用座席シートに対して固定的に設置される左右サイドアーム９１、９２と、左右サイドアーム９１、９２に対して可動的に設置されているフロントアーム９０と、を有している。フロントアーム９０の枢接端部９０２は、右サイドアーム９２の先端部に図中の矢印で示されているＬ１方向に沿う上下回動可能に枢接され、係止端部９０１が前記上下回動によって左サイドアーム９１の先端部に対して当接したり離間したりすることができるように構成されている。
【００２１】
更に、係止端部９０１には係止手段２００が配置されており、左サイドアーム９１には係止孔９１１（図４参照）が形成されている。
【００２２】
係止手段２００及び係止孔９１１の構成は、図３〜図７を参照して説明する。図３は、係止端部９０１と左サイドアーム９１の先端部とが係止している場合における係止手段２００の状態及び構成を示す斜視図であり、図４は図３に示されている状態の拡大図であり、図５は係止手段２００及び係止孔９１１の構成を示す分解図であり、図６は図３に示されている状態の上面図であり、図７は係止端部９０１と左サイドアーム９１の先端部とが離間できる状態になっている場合の係止手段２００の状態及び構成を示す上面図である。
【００２３】
図示されているように、係止手段２００は、主として、ハウジングと、係止棒３１と、付勢手段４と、操作ボタン５と、により構成されている。
【００２４】
ハウジングは、下連結ケース２と、上連結ケース７と、により構成され、下連結ケース２は、カーブ状に形成される底壁２０と、底壁２０の周縁から上方へ延伸しているフェンス壁２１と、底壁２０に位置し且つフロントアーム９０に隣接している第１の端部２２と、底壁２０に位置し且つ左サイドアーム９１に隣接している第２の端部２３と、を有している。第１の端部２２には底壁２０から突き出るように連結突起柱２２１が形成されており、そしてフロントアーム９０には連結リング９０３が形成されている。この連結リング９０３で連結突起柱２２１を包む構成及び下連結ケース２と上連結ケース７との結合により、ハウジングをフロントアーム９０と一体化することができる。
【００２５】
また、図４に示されているように、第２の端部２３は、底壁２０に設けられ且つ両端がフェンス壁２１に繋がっている第１の仕切りプレート２３１と、底壁２０に設けられ且つ第１の仕切りプレート２３１と間を空けている第２の仕切りプレート２３２と、両端がそれぞれ第１の仕切りプレート２３１と第２の仕切りプレート２３２とに繋がっている設置プレート２３３と、を有している。底壁２０と第１の仕切りプレート２３１とフェンス壁２１とは互いに対応しあって収容空間２３０を囲んでいる。
【００２６】
更に、第２の端部２３におけるフェンス壁２１には係止棒３１を通過させる第１の開口２３４と、操作ボタン５を通過させる第２の開口２３５と、が形成されている。
【００２７】
係止棒３１は、その軸方向に沿って摺動可能に、且つ、該摺動によってその先端部３２がハウジングの外側へ突き出すことができるようにハウジング内に収容されており、係止端部９０１が左サイドアーム９１に当接している場合、前記摺動でその先端部３２が突き出されることによって係止孔９１１に挿し込まれることができるように配置構成されている。また、係止棒３１は、その軸方向に沿った摺動のみが可能であり、この摺動以外のハウジングに対する動きは、ハウジングの内部構成によって制限される必要がある。この制限構成については周知の技術構成で達成できるため、詳しい説明を省略する。
【００２８】
付勢手段４は、係止棒３１を前記軸方向に沿ってハウジングの外側へ押し出させる付勢力を常に係止棒３１に与えることができるよう、一端がハウジング内に形成されている設置プレート２３３に固定され、他端が係止棒３１の先端部３２の反対側にある当接端部３３に当接している。
【００２９】
操作ボタン５は、ハウジング外に露出している操作端５１を有しており、該操作端５１がハウジング内へ没入するように押圧される（図７参照）と、付勢手段４の付勢力に対抗して係止棒３１の先端部３２をハウジング内に引き込ませることができ、前記押圧が解除されると、操作端５１が再び突出すると共に、付勢手段４の付勢力で係止棒３１を再び押し出すことができるように構成されている（図６参照）。このような効果を達成できる具体的な構成については、以下の通りである。
【００３０】
操作ボタン５は、主動斜面６２を有し、係止棒３１は、主動斜面６２に当接していると共に、主動斜面６２の操作ボタン５の没入操作により作動されて係止棒３１の先端３２をハウジング内に引き込ませることができる従動斜面６１を有しており、更に、操作ボタン５の没入操作方向と主動斜面６２とは４５°を成し、主動斜面６２及び従動斜面６１は係止棒３１の軸方向と４５°を成し、そして操作ボタン５の没入操作方向と係止棒３１の軸方向とは９０°を成すように配置構成されている。
【００３１】
ちなみに、従動斜面６１は、係止棒３１に設けられている突起リブ３４の一面にある。
【００３２】
上連結ケース７は、下連結ケース２の底壁２０に対応するトップ壁７１と、トップ壁７１から下連結ケース２へ延伸する第１制限柱７２及び複数の固定プレート７３と、複数の連結柱７４と、を有している。各連結柱７４の先端にねじ穴７４１が形成されており、また、下連結ケース２には貫通穴２５が形成されている。この構成により、図示されない複数のねじユニットを用いて貫通穴２５を貫通してから連結柱７４の先端にあるねじ穴７４１に螺合することによって、上連結ケース７と下連結ケース２とを結合させることができる。
【００３３】
ちなみに、図示されているようにハウジングには第１制限柱７２が形成されており、操作ボタン５の表面には図中に示されている案内溝５３と、該表面の裏側に形成されている案内溝が形成されており、この二つの案内溝は、前記没入操作方向に平行となるように延伸しており、図中に示されている第１制限柱７２が前記裏側に形成されている案内溝に嵌め込まれるように配置構成することにより、操作ボタン５が押圧されると前記没入操作方向に沿って移動することができる。
【００３４】
また、操作ボタン５は、前記没入操作方向及びその逆方向の摺動のみが可能であり、この摺動以外のハウジングに対する動きは、ハウジングの内部構成によって制限される必要がある。この制限構成については周知の技術構成で達成できるため、詳しい説明を省略する。
【００３５】
図５及び図６に示されているように、左サイドアーム９１の先端部に、第１の係止溝９１２と該第１の係止溝９１２より先端側に配置されている第１の係止フランジ９１０とが形成されている。
【００３６】
フロントアーム９０における係止端部９０１の先端近く、即ち係止手段２００のハウジングの左サイドアーム９１に対応する外表面に、第１の係止溝９１２に対応して嵌め込むことができる第２の係止フランジ９０３と、第１の係止フランジ９１０に対応して嵌め込ませることができる第２の係止溝９０４と、が形成されている。
【００３７】
この構成によって、係止孔９１１が形成されている左サイドアーム９１の先端部とフロントアーム９０における係止端部９０１の先端近くとは、互いに対応して係止することができ、フロントアーム９０における係止端部９０１の先端近くは、上方から回動して係止孔９１１が形成されている左サイドアーム９１に当接することができ、且つ、上方への回動のみによって係止孔９１１が形成されている左サイドアーム９１から離れることができるように配置構成され、そして係止手段２００の係止棒３１が係止孔９１１に挿し込まれている限り上記回動は係止されて回動不可能となっている。
【００３８】
図８では枢接端部９０２及び右サイドアーム９２の内部構成が示されている。図示されているように、枢接端部９０２は、枢接ハウジング８と連結手段８３とを有している。枢接ハウジング８は、上枢接ケース８１と、上枢接ケース８１と結合する下枢接ケース８２と、上枢接ケース８１の内壁面に設けられていると共に、フロントアーム９０との連結に用いられる連結突起柱８４と、を有している。フロントアーム９０に連結リング９０３が形成されており、この連結リング９０３で連結突起柱８４を包む構成及び上枢接ケース８１と下枢接ケース８２との結合により、枢接ハウジング８をフロントアーム９０と一体化することができる。
【００３９】
上枢接ケース８１には２つの連結柱８１１が設けられ、そして各連結柱８１１の先端に該連結柱８１１の軸方向に沿ってねじ穴８１２が形成されており、更に、下枢接ケース８２には各連結柱８１１にそれぞれ対応している貫通穴柱８２１が設けられ、図示されない２つのねじユニットを貫通穴柱８２１に貫通させてから連結柱８１１の先端にあるねじ穴８１２に螺合することによって、下枢接ケース８２と上枢接ケース８１とを結合させることができる。
【００４０】
連結手段８３は、プレート状端部８３１と柱状端部８３２とを有するように形成されており、プレート状端部８３１には２つのスリーブ穴８３３が空けられ、２つの連結柱８１１によりそれぞれ貫通されることによって下枢接ケース８２と上枢接ケース８１との間に固定されている。
【００４１】
また、柱状端部８３２は、枢接ハウジング８の外側に突出しており、更に、その先端にＣ字形係止リング８５を設置するための凹陥溝８３４を有している。
【００４２】
右サイドアーム９２は、柱状端部８３２により貫通され且つＣ字形係止リング８５により固定されている位置決め壁９２１を有しており、この構成により一体化した枢接ハウジング８及びフロントアーム９０は、右サイドアーム９２に対して回動可能となると共に、十分な強度及び耐久性を保つことが可能であるといった、非常に有効な構成を達成することができる。
【産業上の利用可能性】
【００４３】
上記構成による本発明のガードアーム装置及びそれを備えたベビーカーは、操作端を押すだけで可動部（フロントアーム）と固定部（左右両アーム）との係止を解除することができるので、従来より操作が簡単なガードアーム装置及びそれを備えたベビーカーを提供することができる。
【符号の説明】
【００４４】
２  下連結ケース
２０  底壁
２００  係止手段
２１  フェンス壁
２２  第１の端部
２２１  連結突起柱
２３  第２の端部
２３０  収容空間
２３１  第１の仕切りプレート
２３２  第２の仕切りプレート
２３３  設置プレート
２３４  第１の開口
２３５  第２の開口
２５  貫通穴
３１  係止棒
３２  先端部
３３  当接端部
３４  突起リブ
４  付勢手段
５  操作ボタン
５１  操作端
６１  従動斜面
６２  主動斜面
７  上連結ケース
７１  トップ壁
７２  第１制限柱
７３  固定プレート
７４  連結柱
７４１  ねじ穴
８  枢接ハウジング
８１  上枢接ケース
８１１  連結柱
８１２  ねじ穴
８２  下枢接ケース
８２１  貫通穴柱
８３  連結手段
８３１  プレート状端部
８３２  柱状端部
８３３  スリーブ穴
８３４  凹陥溝
８４  連結突起柱
８５  Ｃ字形係止リング
９０  フロントアーム
９０１  係止端部
９０２  枢接端部
９０３  第２の係止フランジ
９０３  連結リング
９０４  第２の係止溝
９１  左サイドアーム
９１０  第１の係止フランジ
９１１  係止孔
９１２  第１の係止溝
９２  右サイドアーム
９２１  位置決め壁
【図１】
0005295324.tif 000002
【図２】
0005295324.tif 000003
【図３】
0005295324.tif 000004
【図４】
0005295324.tif 000005
【図５】
0005295324.tif 000006
【図６】
0005295324.tif 000007
【図７】
0005295324.tif 000008
【図８】
0005295324.tif 000009